(57)【特許請求の範囲】
【請求項１】
ガンダイオードを用いて高周波信号を生成する発振器と、
該発振器が生成した高周波信号を、複数設けられた出力ポートに到る分岐線路のそれぞれに供給する分岐回路と、
前記分岐線路のそれぞれに設けられ、外部からの制御信号に応じて前記分岐線路を導通，遮断するスイッチング手段と、
を備えた多チャネル高周波信号供給装置において、
前記スイッチング手段は、
前記分岐線路に供給された高周波信号を、複数設けられた第２分岐線路のそれぞれに供給する第２分岐回路と、
前記第２分岐線路のそれぞれに設けられ、前記第２分岐回路から前記第２分岐線路に供給される高周波信号を、前記制御信号に従って、反射，或いは増幅して通過させるスイッチ増幅器と、
該第２分岐線路毎に設けられたスイッチ増幅器の出力を合成して、当該スイッチング手段の出力とする合成回路と、
からなることを特徴とする多チャネル高周波信号供給装置。
【発明の詳細な説明】
【０００１】
【発明の属する技術分野】
本発明は、ミリ波帯やマイクロ波帯の高周波信号を利用する各種装置、特に送受信器等に用いられる多チャネル高周波信号供給装置に関する。
【０００２】
【従来の技術】
従来より、高周波信号の伝送線路にて使用する高周波スイッチとして、例えば、特開平２−６３２０１号公報や特開平５−５５８０４号公報に開示されているように、トランジスタにて構成された増幅器（以下、スイッチ増幅器という）を利用したものが知られている。
【０００３】
このようなスイッチ増幅器は、近年では、例えば、車載用レーダ装置の送受信器等への応用、即ち、送信ビームが互いに異なる領域を指向するよう配置された複数の送信アンテナの何れかに送信信号を供給する多チャネルの高周波信号供給装置や、受信器の構成を簡略化するため複数の受信アンテナにてミキサを共有し、いずれかの受信アンテナからの受信信号のみをミキサに供給するセレクタ等に用いることが考えられている。
【０００４】
【発明が解決しようとする課題】
ところで、上述の多チャネルの高周波信号供給装置にて複数の送信アンテナに送信信号を供給する場合、送信信号の生成源としては、ガンダイオード等を用いた高出力の発振器が用いられるが、このような発振器で生成された電力の大きい送信信号が、上述のスイッチ増幅器に入力された場合、スイッチ増幅器のスイッチング性能が劣化してしまうという問題があった。
【０００５】
即ち、スイッチ増幅器のスイッチング性能は、導通時と遮断時とで出力に現れる信号強度の差（オン・オフ比）にて評価され、特に遮断時の信号強度は、トランジスタのオフ時の信号透過率に基づいて決まり、その信号透過率は入力電力の大きさに関わらず一定である。従って、スイッチ増幅器の入力に対して出力が線形的に変化する領域では、入力電力の増大に応じて、導通時及び遮断時の信号強度は同じ割合で増加するため、一定のオン・オフ比が得られるが、スイッチ増幅器の出力が飽和する領域では、入力電力の大きさに関わらず導通時の信号強度はほぼ一定となり、遮断時の信号強度のみ入力電力に応じて増加するため、入力電力が大きいほどオン・オフ比が劣化し、スイッチとしての性能が劣化してしまうのである。
【０００６】
また、この種の装置は、小型化のためにＭＭＩＣ化されることが多いが、ＭＭＩＣでは、使用可能な電力の範囲がより制限されることになるため、このような問題が発生しやすかった。
本発明は、上記問題点を解決するために、大出力の信号源を用いた場合でも、スイッチ性能の低下を確実に防止できる多チャネル高周波信号供給装置を提供することを目的とする。
【０００７】
【課題を解決するための手段】
上記目的を達成するためになされた発明である請求項１記載の多チャネル高周波信号供給装置では、ガンダイオードを用いて構成された発振器が、高周波信号を生成し、この高周波信号を分岐回路が、複数設けられた出力ポートに到る分岐線路のそれぞれに供給する。そして、各分岐線路は、外部からの制御信号に応じて動作するスイッチング手段により導通，遮断され、導通した分岐線路の出力ポートを介して高周波信号の供給が行われる。
【００２２】
【００２３】
【００２４】
【００２５】
【００２６】
【００２７】
【００２８】
【００２９】
【００３０】
そして、本発明では、スイッチング手段が、第２分岐回路，スイッチ増幅器，合成回路からなり、第２分岐回路が、分岐線路に供給された高周波信号を電力分配して、複数設けられた第２分岐線路のそれぞれに供給し、これら第２分岐線路のそれぞれに設けられたスイッチ増幅器が、第２分岐回路から第２分岐線路に供給される高周波信号を、制御信号に従って、反射，或いは増幅して通過させ、更に、合成手段が、第２分岐線路毎に設けられたスイッチ増幅器の出力を合成して、当該スイッチング手段の出力としている。
【００３１】
つまり、本発明では、複数のスイッチ増幅器が、一つの出力ポートに供給される高周波信号の導通，遮断を並列に分担して行うことにより、各スイッチ増幅器が扱う電力が低減されることになる。このため、スイッチ増幅器の出力が飽和しない程度まで入力が小さくなるよう、発振器の出力に応じて分岐数を設定することにより、スイッチング手段でのオン・オフ比の劣化を確実に防止することができる。
【００３２】
また、本発明では、スイッチ増幅器への入力を歪ませてしまうことがないため、各出力ポートを介して歪みのない高品質な高周波信号を供給することができる。
更に、本発明では、信号を強制的に飽和させたり減衰させたりしていないため、投入した電力が無駄になることがなく、電力の利用効率の優れた装置を構成できる。
【００３３】
【００３４】
【００３５】
【００３６】
【００３７】
【発明の実施の形態】
以下に本発明の実施例を図面と共に説明する。
［第１実施例］
図１は、第１実施例の２チャネル高周波信号供給装置を用いて構成したミリ波帯のレーダ波を送信する送信器を表す構成図である。
【００３８】
図１に示すように、本実施例の２チャネル高周波信号供給装置（以下、単に信号供給装置という）２は、ガンダイオードを利用してミリ波帯（本実施例では７６ＧＨｚ〜７７ＧＨｚ帯）の高周波信号を生成する高出力（本実施例では＋１５ｄＢｍ〜＋２０ｄＢｍ）の発振器４と、発振器４の出力を２等分に電力分配する分岐回路６とを備えている。
【００３９】
また、信号供給装置２は、分岐回路６から、送信アンテナＡ（Ａ１，Ａ２）が接続される出力ポートＰ（Ｐ１，Ｐ２）に到る一対の分岐線路Ｌ（Ｌ１，Ｌ２）上に、分岐線路Ｌを導通，遮断するためのスイッチ増幅器８（８ａ，８ｂ）と、スイッチ増幅器８に入力される高周波信号の上限電力を制限するためのリミット増幅器１０（１０ａ，１０ｂ）とがそれぞれ接続されている。
【００４０】
以下、分岐線路Ｌ１，スイッチ増幅器８ａ，リミット増幅器１０ａ，出力ポートＰ１をチャネルＣＨ１、分岐線路Ｌ２，スイッチ増幅器８ｂ，リミット増幅器１０ｂ，出力ポートＰ２をチャネルＣＨ２と呼ぶ。
このうち、スイッチ増幅器８は、高電子移動度電界効果トランジスタ（ＨＥＭＴ：High Electron Mobility Transistor ）２０を中心に構成され、ＨＥＭＴ２０のソース端子は接地されている。また、スイッチ増幅器８は、一端がＨＥＭＴ２０のゲート端子に接続され、他端が当該スイッチ増幅器８の入力端子ＴISに接続された高周波線路２１、及び一端が直流カット用のコンデンサ２７を介して接地され、他端が入力端子ＴISに接続されたスタブ２２からなる入力整合回路２３と、一端がＨＥＭＴ２０のドレイン端子に接続され、他端が当該スイッチ増幅器８の出力端子ＴOSに接続された高周波線路２４、及び一端が直流カット用のコンデンサ２８を介して接地され、他端が出力端子ＴOSに接続されたスタブ２５からなる出力整合回路２６とを備えている。なお、スタブ２５とコンデンサ２８との間には、ＨＥＭＴ２０をオンオフ制御する制御信号として、ドレインバイアス電圧を印加するための制御端子ＴCSが設けられている。
【００４１】
一方、リミット増幅器１０は、スイッチ増幅器８と同様の構成をしており、ソース端子が接地されたＨＥＭＴ３０と、一端がＨＥＭＴ３０のゲート端子に接続され、他端が当該リミット増幅器１０の入力端子ＴILに接続された高周波線路３１、及び一端が直流カット用のコンデンサ３７を介して接地され、他端が入力端子ＴILに接続されたスタブ３２からなる入力整合回路３３と、一端がＨＥＭＴ３０のドレイン端子に接続され、他端が当該リミット増幅器１０の出力端子ＴOLに接続された高周波線路３４、及び一端が直流カット用のコンデンサ３８を介して接地され、他端が出力端子ＴOLに接続されたスタブ３５からなる出力整合回路３６とを備えており、スタブ３５とコンデンサ３８との間には、ＨＥＭＴ３０をオンオフ制御する制御信号として、ドレインバイアス電圧を印加するための制御端子ＴCLが設けられている。
【００４２】
そして、各分岐線路Ｌ毎に、リミット増幅器１０の出力端子ＴOLがスイッチ増幅器８の入力端子ＴISに接続されると共に、リミット増幅器１０の入力端子ＴILに分岐回路６にて電力分配された高周波信号が印加されるよう接続され、スイッチ増幅器８の出力端子ＴOSが出力ポートＰに接続されている。
【００４３】
また、各増幅器８，１０の入力整合回路２３，３３は、それぞれＨＥＭＴ２０，３０の入力インピーダンスと整合するように設定されており、更に、リミット増幅器１０の出力整合回路３６は、スイッチ増幅器８の入力インピーダンスと整合し、スイッチ増幅器８の出力整合回路２６は、出力ポートＰに接続される送信アンテナＡの入力インピーダンスと整合するように設定されている。
【００４４】
なお、スイッチ増幅器８及びリミット増幅器１０では、同一特性を有するＨＥＭＴ２０，３０が用いられており、また、入力整合回路２３，３３も同一特性に設定されている。そして、両増幅器８，１０の特性は、出力整合回路２６，３６を適宜設定することにより、リミット増幅器１０の飽和出力電力Ｐmax が、スイッチ増幅器８の小信号利得が１ｄＢ低下する際の入力電力である利得圧縮電力Ｐ以下（Ｐ≧Ｐmax ）となるように設定されている。
【００４５】
このように構成された本実施例の信号供給装置２では、発振器４が生成した高周波信号を、分岐回路６が２等分に電力分配して、各チャネルＣＨ１，ＣＨ２に供給する。すると、各チャネルＣＨ１，ＣＨ２では、供給された高周波信号が入力端子ＴILを介してリミット増幅器１０に入力される。
【００４６】
そして、同一チャネルの両増幅器８，１０の制御端子ＴCS，ＴCLに、いずれも制御信号（ドレインバイアス電圧）が印加されている場合、以下に説明するように、分岐線路Ｌは導通状態となる。
即ち、リミット増幅器１０では、入力端子ＴILから入力された高周波信号は、入力整合回路３３の整合作用により、反射することなくＨＥＭＴ３０に入力され、ＨＥＭＴ３０にて増幅される。この時、ＨＥＭＴ３０への入力電力が飽和領域に達していれば、その出力電力は、上限電力Ｐmax に制限される。そして、出力端子ＴOLを介してスイッチ増幅器８へ供給されるＨＥＭＴ３０の出力は、出力整合回路３６の整合作用により、反射することなくスイッチ増幅器８に入力される。
【００４７】
すると、スイッチ増幅器８では、リミット増幅器１０と同様に、入力端子ＴISを介して入力された高周波信号は、入力整合回路２３の整合作用により、反射することなくＨＥＭＴ２０に入力され、ＨＥＭＴ２０にて増幅される。この時、ＨＥＭＴ２０への入力電力は、リミット増幅器１０によって上限電力Ｐmax 以下、即ち利得圧縮電力Ｐ以下に制限されているため、線形領域のみを用いて増幅が行われる。そして、出力端子ＴOSを介して出力ポートＰに接続された送信アンテナＡに供給されるＨＥＭＴ２０の出力は、出力整合回路２６の整合作用により、反射することなく送信アンテナＡに入力される。なお、リミット増幅器１０により波形歪みが生じている場合には、この歪みにより生じた高調波成分は、狭帯域増幅器として構成されるスイッチ増幅器８のフィルタ作用により除去されるため、スイッチ増幅器８からは整形された出力が得られる。
【００４８】
一方、同一チャネルの両増幅器８，１０の制御端子ＴCS，ＴCLに、いずれもドレインバイアス電圧が印加されていない場合、入力端子ＴIL，ＴISを介して入力された高周波信号は、ＨＥＭＴ３０，２０にて反射されるため、分岐線路Ｌは遮断状態となる。
【００４９】
従って、このような信号供給装置２を用いて構成した送信器では、各制御端子ＴCS，ＴCLへの制御信号の供給を制御する電圧供給装置ＤＳを、同一チャネルに属する両増幅器８，１０の制御端子ＴCS，ＴCL毎に、制御信号を同時に印加するように構成すればよい。
【００５０】
以上説明したように、本実施例の信号供給装置２においては、分岐線路Ｌを導通遮断するスイッチ増幅器８の前段に、スイッチ増幅器８への入力電力を制限するリミット増幅器１０が設けられており、スイッチ増幅器８が線形領域でのみ動作するようにされている。
【００５１】
従って、本実施例の信号供給装置２によれば、分岐回路６を介して各チャネルＣＨ１，ＣＨ２に供給される高周波信号の電力が大きくても、スイッチ増幅器８でのオン・オフ比が劣化してしまうことがなく、しかも、スイッチ増幅器８と同時に、リミット増幅器１０をオンオフ動作させているので、オン・オフ比の大きい高性能なスイッチングを行うことができる。
【００５２】
また、本実施例の信号供給装置２では、スイッチ増幅器８及びリミット増幅器１０を、同一特性を有するＨＥＭＴ２０，３０、及び同一特性に設定された入力整合回路２３，３３を用い、出力整合回路２６，３６の特性のみが異なるように構成されているので、スイッチング性能を均一にできると共に、設計，製造を容易化することができる。
【００５３】
このように、電力の大きな高周波信号が入力されてもオンオフ比が劣化せず、また、構成の共通化が可能であるため、ＭＭＩＣ化に適しており、装置の小型化が要求される車載用レーダ装置の送信器等に好適に用いることができる。
更に、本実施例の信号供給装置２では、各チャネルＣＨ１，ＣＨ２に供給される電力が小さいときは、リミット増幅器１０は線形領域のみで動作して通常の増幅器として動作するため、リミット増幅器１０がない場合と比較して、より電力が小さい場合にでも好適に動作させることができる。
【００５４】
なお、本実施例では、リミット増幅器１０にも制御端子ＴCLを設け、制御信号によりオンオフ制御しているが、リミット増幅器１０には、一定のドレインバイアス電圧を印加して、スイッチ増幅器８でのみオンオフ動作を行うようにしてもよい。
［第１参考例］
次に、第１参考例について説明する。
【００５５】
本参考例の信号供給装置２ａは、第１実施例の信号供給装置２と構成が一部異なるだけであるため、同じ構成部分については同一符号を付して説明を省略し、構成の相違する部分を中心に説明する。
即ち、本参考例の信号供給装置２ａでは、図２に示すように、リミット増幅器１０（１０ａ，１０ｂ）の代わりに可変利得増幅器１１（１１ａ，１１ｂ）を用いている以外は、第１実施例の信号供給装置２と全く同様に構成されている。
【００５６】
また、可変利得増幅器１１は、ＨＥＭＴ３０のゲートと入力整合回路３３との間に、利得調整信号として、ゲートバイアス電圧を印加するための利得調整端子ＴGLが設けられている以外は、リミット増幅器１０と全く同様に構成されている。
【００５７】
このように構成された本参考例の信号供給装置２ａでは、第１実施例の信号供給装置２と全く同様に動作するだけでなく、調整端子ＴGLに印加するゲートバイアス電圧を適宜設定することにより、可変利得増幅器１１の小信号利得を調整することができる。
【００５８】
従って、本参考例の信号供給装置２ａによれば、第１実施例と同様の効果が得られるだけでなく、可変利得増幅器１１への入力電力の大きさに応じて、小信号利得を、出力電力がスイッチ増幅器８の利得圧縮電力Ｐ以下となり、且つ当該可変利得増幅器１１が線形領域でのみ動作するよう調整すれば、スイッチ増幅器８に入力される高周波信号の上限電力の制限を波形を歪ませることなく行うことができ、歪みの小さい高品質な高周波信号を出力ポートＰを介して外部に供給することができる。
［第２参考例］
次に、第２参考例について説明する。
【００５９】
本参考例の信号供給装置２ｂは、第１実施例の信号供給装置２と構成が一部異なるだけであるため、同じ構成部分については同一符号を付して説明を省略し、構成の相違する部分を中心に説明する。
即ち、本参考例の信号供給装置２ｂでは、図３に示すように、リミット増幅器１０（１０ａ，１０ｂ）の代わりに可変利得増幅器１２（１２ａ，１２ｂ）を用いている以外は、第１実施例の信号供給装置２と全く同様に構成されている。
【００６０】
また、可変利得増幅器１２（１２ａ，１２ｂ）は、ＨＥＭＴ３０のドレイン端子と出力整合回路３６との間に、ゲート端子が直流カット用のコンデンサ４１を介して接地されたＨＥＭＴ４０が接続されると共に、スタブ３５とコンデンサ３８との間に設けられていた制御端子ＴCLが省略され、代わりにＨＥＭＴ４０とコンデンサ４１との間に、利得調整信号としてのゲートバイアス電圧を印加するための利得調整端子ＴGLが設けられている以外は、リミット増幅器１０と全く同様に構成されている。
つまり、本参考例の可変利得増幅器１２は、信号増幅用の素子として、単独のＨＥＭＴ３０の代わりに、カスコード接続した一対のＨＥＭＴ３０，４０（以下、カスコードトランジスタと呼ぶ）を用いて構成されている。
【００６１】
このように構成された本参考例の信号供給装置２ｂでは、可変利得増幅器１２が、スイッチ増幅器８のオンオフに関わらず常に動作状態にあり、スイッチ増幅器８の制御端子ＴCSに印加する制御信号のみにより、各チャネルＣＨ１，ＣＨ２の導通，遮断が制御される以外は第１実施例と全く同様に動作するだけでなく、第１参考例と同様に、利得調整端子ＴGLに印加する利得調整信号を適宜設定することにより、可変利得増幅器１２の小信号利得を調整することができる。
【００６２】
従って、本参考例の信号供給装置２ｂによれば、第１実施例及び第１参考例と同様の効果が得られるだけでなく、増幅用の素子として、一対のＨＥＭＴ３０，４０からなるカスコードトランジスタを用いているので、小信号利得の可変範囲を２０ｄＢ以上確保でき、第１及び第１参考例の信号供給装置２，２ａと比較して、より広い範囲の入力電力に対応することができる。
【００６３】
なお、本参考例では、可変利得増幅器１２の小信号利得を調整する利得調整信号として、カスコードトランジスタを構成する一対のＨＥＭＴ３０，４０のうち、出力側のＨＥＭＴ４０のゲートバイアス電圧を変化させているが、カスコードトランジスタに負帰還回路を追加し、この負帰還回路での帰還量を変化させることにより、小信号利得を調整してもよい。
【００６４】
そして、負帰還回路は、例えば図４に示す可変利得増幅器１３（１３ａ，１３ｂ）のように、ドレイン端子がＨＥＭＴ４０のソース端子に接続され、ソース端子が直流カット用のコンデンサ４３を介してＨＥＭＴ３０のゲート端子に接続され、ゲート端子が直流カット用のコンデンサ４４を介して接地されたＨＥＭＴ４２により構成することができ、この場合、ＨＥＭＴ４３とコンデンサとの間に利得調整端子ＴGLを設け、ＨＥＭＴ４２のゲートバイアス電圧を利得調整信号とすればよい。
【００６５】
なお、ＨＥＭＴ４３は、可変抵抗器として動作し、即ちゲートバイアス電圧に応じてドレイン・ソース間の抵抗値が変化して帰還量が変化することにより、カスコードトランジスタの小信号利得が変化するのである。
このようにカスコードトランジスタに負帰還回路を付加した可変利得増幅器１３でも、負帰還回路のない可変利得増幅器１２と同様に、小信号利得の可変範囲を２０ｄＢ以上確保することができ、広い範囲の入力電力に対応することができる。
［第３参考例］
次に、第３参考例について説明する。
【００６６】
本参考例の信号供給装置２ｃは、第１実施例の信号供給装置２と構成が一部異なるだけであるため、同じ構成部分については同一符号を付して説明を省略し、構成の相違する部分を中心に説明する。
即ち、本参考例の信号供給装置２ｃでは、図５に示すように、リミット増幅器１０（１０ａ，１０ｂ）の代わりに可変減衰器１４（１４ａ，１４ｂ）を用いている以外は、第１実施例の信号供給装置２と全く同様に構成されている。
【００６７】
そして、可変減衰器１４は、その入力端子ＴILと出力端子ＴOLとの間に直列接続された一対の高周波線路５０，５１と、一端が高周波線路５０，５１の間に接続されたスタブ５２と、スタブ５２の他端（以下、制御端という）にドレイン端子が接続され、ソース端子が接地されたＨＥＭＴ５３とを備え、ＨＥＭＴ５３のゲート端子に、減衰調整信号として、ゲートバイアス電圧を印加するための減衰調整端子ＴRLが設けられている。
【００６８】
なお、スタブ５２の長さは、発振器４が生成する高周波信号の線路内波長をλとして、λ／４＋ｎ・λ／２（ｎ：０又は正整数）に設定されており、制御端が開放状態の時には、高周波信号を高周波線路５１へそのまま通過させ、一方、制御端が接地状態の時には、高周波線路５１へ通過する高周波信号を反射により減衰させる。
つまり、減衰調整端子ＴRLに負電圧の減衰調整信号を印加してＨＥＭＴ５３をオフすると、スタブ５２の制御端は開放状態となるため、高周波信号は減衰せず、逆に、正電圧の減衰調整信号を印加してＨＥＭＴ５３をオンすると、スタブ５２の制御端は接地状態となるため、高周波信号は減衰することになる。
【００６９】
従って、各チャネルＣＨ１，ＣＨ２に供給される高周波信号の入力電力が、スイッチ増幅器８の利得圧縮電力Ｐより大きい場合に、可変減衰器１４に信号の減衰を行わせるよう減衰調整信号を設定すればよい。
以上のように構成された本参考例の信号供給装置２ｃによれば、可変減衰器１４にて高周波信号を減衰した時に、高周波信号が歪んでしまうことがないため、出力ポートＰを介して高品質な高周波信号を供給することができる。
【００７０】
なお、本参考例では、スタブ５２の長さを、λ／４＋ｎ・λ／２に設定しているが、ｎ・λ／２に設定してもよい。但し、この場合に、高周波信号は、制御端が開放状態の時に減衰し、接地状態の時にそのまま通過するため、減衰調整信号の極性を反対にして制御する必要がある。
【００７１】
また、本参考例では、スタブ５２の制御端の状態を切り替えるために、ＨＥＭＴ５３を用いているが、図６に示す可変減衰器１５（１５ａ，１５ｂ）のように、スタブ５２の制御端にカソードが接続され、アノードが接地されたダイオードを用い、スタブ５２とダイオードとの間に減衰調整端子ＴRLを設けてもよい。
【００７２】
この場合、減衰調整端子ＴRLに負電圧の減衰調整信号を印加してダイオードをオンすると、スタブ５２の制御端は接地状態となり、一方、正電圧の減衰調整信号を印加してダイオードをオフすると、スタブ５２の制御端は開放状態となり、ＨＥＭＴ５３を設けた場合と、同様の作用効果を得ることができる。
［第２実施例］
次に、第２実施例について説明する。
【００７３】
本実施例の信号供給装置２ｄは、第１実施例の信号供給装置２と構成が一部異なるだけであるため、同じ構成部分については同一符号を付して説明を省略し、構成の相違する部分を中心に説明する。
即ち本実施例の信号供給装置２ｄでは、各チャネルＣＨ１，ＣＨ２に設けられたスイッチング手段としての構成が、分岐線路Ｌ（Ｌ１，Ｌ２）に供給された高周波信号を電力分配して一対の第２分岐線路ＬＬ１，ＬＬ２に供給する第２分岐回路７と、第２分岐線路ＬＬ１，ＬＬ２のそれぞれに設けられた一対のスイッチ増幅器８１，８２と、スイッチ増幅器８１，８２の出力を合成して出力ポートＰ（Ｐ１，Ｐ２）に供給する合成回路９とからなる。
【００７４】
なお、スイッチ増幅器８１，８２は、第１実施例のスイッチ増幅器８と全く同様に構成されている。
このように構成された本実施例の信号供給装置２ｄでは、発振器４が生成した高周波信号を、分岐回路６が２等分に電力分配して、一対の分岐線路Ｌ（Ｌ１，Ｌ２）に供給する。すると、各分岐線路Ｌでは、供給された高周波信号を、第２分岐回路７が更に２等分に電力分配して、一対の第２分岐線路ＬＬ１，ＬＬ２に供給し、各第２分岐線路ＬＬ１，ＬＬ２に設けられたスイッチ増幅器８１，８２に入力する。
【００７５】
そして、各スイッチ増幅器８１，８２は、制御端子ＴCSに印加される制御信号に応じて、それぞれ第２分岐線路ＬＬ１，ＬＬ２を導通，遮断し、合成回路９が、各スイッチ増幅器８からの出力を合成して、出力ポートＰ（Ｐ１，Ｐ２）に接続された送信アンテナＡ（Ａ１，Ａ２）に供給する。
【００７６】
なお、電圧供給装置ＤＳは、いずれか一方のチャネルの一対のスイッチ増幅器８１，８２が同時にオンするように、制御端子ＴCSに印加する制御信号を生成する。
以上説明したように、本実施例の信号供給装置２ｄでは、各チャネルＣＨ１，ＣＨ２毎に一対のスイッチ増幅器８が、高周波信号の導通，遮断を並列に分担して行っているので、各スイッチ増幅器８１，８２への入力電力は、各チャネルＣＨ１，ＣＨ２への入力電力の半分の大きさとなる。
【００７７】
従って、発振器４が生成する高周波信号の出力電力が、スイッチ増幅器８１，８２の利得圧縮電力Ｐの２倍以下であれば、オン・オフ比を劣化させることなくスイッチ増幅器８１，８２を動作させることができ、また、スイッチ増幅器８１，８２は線形領域のみを用いて増幅を行うため、歪みの小さい高品質な高周波信号を出力ポートＰ１，Ｐ２を介して供給することができる。
【００７８】
また、本実施例では、高周波信号を強制的に飽和させたり減衰させたりしていないため、投入した電力が無駄になることがなく、電力の利用効率の優れた装置を構成できる。
なお、本実施例では、各チャネルＣＨ１，ＣＨ２毎に、一対のスイッチ増幅器８１，８２を設けているが、このスイッチ増幅器の数、即ち、第２分岐回路７での分岐数は、各チャネルＣＨ１，ＣＨ２への入力電力の大きさに応じて、各スイッチ増幅器への入力電力が、いずれも利得圧縮電力Ｐ以下となるように設定されていれば、いくつであってもよい。
【００７９】
以上、本発明のいくつかの実施例について説明したが、本発明は上記実施例に限定されるものではなく、発明の要旨を逸脱しない範囲で様々な態様にて実施することが可能である。
例えば、上記各実施例では、２チャネルの高周波信号を供給するように構成したが、３チャネル以上、即ち分岐回路６での分岐数を３以上にして構成してもよい。
【００８０】
【００８１】
【図面の簡単な説明】
【図１】 第１実施例の２チャネル高周波信号供給装置の構成図である。
【図２】 第１参考例の２チャネル高周波信号供給装置の構成図である。
【図３】 第２参考例の２チャネル高周波信号供給装置の構成図である。
【図４】 第２参考例の変形例である。
【図５】 第３参考例の２チャネル高周波信号供給装置の構成図である。
【図６】 第３参考例の変形例である。
【図７】 第２実施例の２チャネル高周波信号供給装置の構成図である。
【符号の説明】
２，２ａ〜２ｄ…２チャンネル高周波信号供給装置  ４…発振器  ６…分岐回路  ７…第２分岐回路  ８，８１，８２…スイッチ増幅器  ９…合成回路  １０…リミット増幅器
１１，１２，１３…可変利得増幅器  １４，１５…可変減衰器  ２２，２５，３２，３５，５２…スタブ  ２１，２４，３１，３４，５０，５１…高周波線路  ２３，３３…入力整合回路  ２６，３６…出力整合回路  ２７，２８，３７，３８，４１，４３，４４…コンデンサ  Ａ１，Ａ２…アンテナ  ＤＳ…電圧供給装置  Ｌ１，Ｌ２…分岐線路  ＬＬ１，ＬＬ２…第２分岐線路  Ｐ１，Ｐ２…出力ポート
【図１】
0004211128.tif 000002
【図２】
0004211128.tif 000003
【図３】
0004211128.tif 000004
【図４】
0004211128.tif 000005
【図５】
0004211128.tif 000006
【図６】
0004211128.tif 000007
【図７】
0004211128.tif 000008